(57)【特許請求の範囲】
【請求項１】
盗難防止錠であって、
自身の移動により解錠又は施錠を実現するように配置され、ブロック溝が設けられるロックピンと、
前記ロックピンの移動を拘束するように前記ブロック溝に入ることができ、又は前記ロックピンの移動を解放するように前記ブロック溝から外されることができるように配置されるボルトと、
モータの出力軸に接続され、モータの回転駆動力を前記ボルトをブロック溝から外す駆動力に変換することができるように配置されるボルト駆動部材と、
を含み、
前記ボルトにはｂの字形である駆動孔が形成され、前記ボルト駆動部材は解錠及び施錠過程を実現することができる形状に形成される
ことを特徴とする盗難防止錠。
【請求項２】
さらに、前記ロックピンに対し解錠方向に移動する力を付勢するように配置される第１付勢部材を含むことを特徴とする請求項１に記載の盗難防止錠。
【請求項３】
さらに、前記ボルトに対し前記ブロック溝に入る方向に移動する力を付勢するように配置される第２付勢部材を含むことを特徴とする請求項１に記載の盗難防止錠。
【請求項４】
前記ボルト駆動部材は、一端がモータの出力軸に接続され、他端には、モータの出力軸が回転する時、偏心距離が半径である円形軌跡により回転する突起ハンドルが形成されるクランク部材であることを特徴とする請求項１に記載の盗難防止錠。
【請求項５】
モータと、モータの出力軸側に取付けられるパッキングと、前記モータ及び前記パッキングを格納するモータボックスとにより構成されるモータアセンブリを含むことを特徴とする請求項４に記載の盗難防止錠。
【請求項６】
前記ボルトには、内部にはストッパを備える駆動孔が形成され、前記突起ハンドルは前記駆動孔内に伸び、前記突起ハンドルは、ボルトをブロック溝から外される方向に移動するように、前記ストッパを支え回転するように配置されることを特徴とする請求項４に記載の盗難防止錠。
【請求項７】
前記第１付勢部材は、一端がスロット内に固定され、他端が前記ロックピンの開口部ではない端に接続される引張ばねであることを特徴とする請求項２に記載の盗難防止錠。
【請求項８】
ボルトの位置を検出することができるように構成される位置センサを含むことを特徴とする請求項１に記載の盗難防止錠。
【請求項９】
前記位置センサは、第１リミットスイッチ及び第２リミットスイッチを含み、前記ボルトの両側には、第１リミットシート及び第２リミットシートが設けられ、前記第１リミットスイッチは、前記第１リミットシートの位置に対応され、前記第２リミットスイッチは、前記第２リミットシートの位置に対応され、前記ボルトが前記ブロック溝内に入る時、前記第１リミットシートは第１リミットスイッチを触発し、ボルトがブロック溝から外され最大移動距離に移動した時、前記第２リミットシートは第２リミットスイッチを触発することを特徴とする請求項８に記載の盗難防止錠。
【請求項１０】
錠本体部と、前記錠本体部の左右両側からそれぞれ伸び出し、Ｃの字形の開口部を形成するサイドアームとを含むケースを含み、前記ボルト及びボルト駆動部材は前記ケース内に格納され、前記サイドアームに沿ってその内にＣの字形スロットが形成され、前記ロックピンは環状ロックピンであり、前記ロックピンは前記スロット内に移動することができるように配置されることを特徴とする請求項１に記載の盗難防止錠。
【発明の詳細な説明】
【技術分野】
【０００１】
本発明は馬蹄錠に関する。特に、２輪車又は３輪車用馬蹄錠に関する。
【背景技術】
【０００２】
我が国（中国）は自転車の生産及び使用の大国である。自転車はずっと人々が市内の短距離移動の主要な交通手段である。自転車の安価、軽便、省エネルギー、環境に優しいなどの利点のため、特に近年のグリーン交通、低炭素で環境にやさしいなどの理念の浸透に伴い、ますます多くの人は自転車で出かけることを選択し始める。しかし、ユーザーが自転車で出かける時、自転車盗難問題に直面しなければならない。現在、市場において、例えば機械錠、電気錠などのような複数種類の盗難防止装置がある。しかし、全体的には、このような盗難防止装置の盗難防止効果は芳しくない。窃盗犯は短い時間だけで錠を開けて又は直接に破壊することができ、一部はさらに自転車が錠と共に盗まれる。これはユーザーに財産損害をもたらすだけでなく、大きな不便をもたらす。
【０００３】
従って、盗難防止効果がよく、よりユーザーフレンドリーな自転車盗難防止システム、盗難防止錠及び該盗難防止錠を備える自転車を切実に必要とする。
【発明の概要】
【課題を解決するための手段】
【０００４】
上記技術課題を解決するために、本発明は以下のような技術的解決手段を提供する。
【０００５】
本発明の一態様によれば、ほぼＣの字形の開口部を備える馬蹄錠であって、錠本体部と、前記錠本体部の左右両側からそれぞれ伸び出し、前記ほぼＣの字形の開口部を形成するサイドアームとを備えるケースと、前記錠本体部内に配置される電池室ケーシングと、前記サイドアーム内に形成されるスロットに沿って移動することにより前記開口部を開放又は閉鎖し、ブロック溝が設けられるロックピンと、前記電池室ケーシングの外側面に組立てられ、前記ロックピンの前記ブロック溝に出入りすることにより前記ロックピンの移動を拘束又は解放するボルトと、前記ロックピンに対し開口部を開放する方向に移動する力を付勢する第１付勢部材と、前記ボルトに対し前記ロックピンの前記ブロック溝に入る方向に移動する力を付勢する第２付勢部材と、前記電池室ケーシング内に格納されるＰＣＢ基板と、前記電池室ケーシング内に格納され、本馬蹄錠内の各電子部品に電力供給する電池と、前記電池室ケーシングの前記外側面に組立てられるモータと、前記ＰＣＢ基板に取付けられ、前記モータの出力軸を回転するように駆動するモータ駆動モジュールと、前記モータの出力軸に接続され、前記モータの回転駆動力を前記ボルトを前記ロックピンのブロック溝から送り出す駆動力に変換するボルト駆動部材と、前記電池室ケーシングの前記外面に組立てられ、前記ボルトが前記ブロック溝から外されたか否かを検出する位置センサと、を含み、前記位置センサは、前記ボルトが前記ブロック溝から外されたことを検出した時、前記モータ駆動モジュールは、前記モータの回転駆動を停止する馬蹄錠を提供する。
【図面の簡単な説明】
【０００６】
【図１】本発明により提供される盗難防止システムの全体的なアーキテクチャを示す図である。
【図２】本発明により提供される自転車盗難防止錠の機能モジュールを示す模式図である。
【図３】盗難防止錠の全体的な外観を示す模式図であり、（Ａ）は盗難防止錠の正面図であり、（Ｂ）は盗難防止錠の後面図である。
【図４】盗難防止錠の斜視図である。
【図５】盗難防止錠の各構成部品を例示的に示す分解図である。
【図６】本実施例における盗難防止錠の電池室ケーシングの形状構造を例示的に示す斜視図である。
【図７】本実施例における盗難防止錠の内部構造を示す模式図であり、（Ａ）は正面から見る時上カバー及びパッキング、ＧＰＳ回路基板、ＧＰＳ保護カバーを取外した後の様子であり、（Ｂ）は後面から見る時下カバーを取外した後の様子である。
【図８】正面右から見る時、上カバー、電池室上カバー、及びパッキング、ＧＰＳ回路基板、ＧＰＳ保護カバーを取外した後の斜視図である。
【図９】駆動孔の形状を示す模式図であり、（Ａ）〜（Ｃ）はそれぞれ駆動孔の形状を示す。
【図１０】本発明における盗難防止システムの実行プロセスを示す図である。
【発明を実施するための形態】
【０００７】
以下、具体的な実施例を参照して本発明を詳細に説明する。簡単明瞭にするため、本文は当業者の公知する部品又は構造に対する具体的な説明は省略する。また、特定の実施例に合わせて本発明に対し説明を行ったが、該説明は本発明を説明された実施例に制限するものではないことを理解すべきである。反対に、該説明は添付の請求項により限定される本発明の精神と範囲に含まれることができる置き換え、改良及び同等の解決手段をカバーするものである。
【０００８】
以下、自転車用盗難防止錠、盗難防止システムを例として説明し、ただし本盗難防止錠、盗難防止システムは無論、電動自転車、オートバイなどの任意の二輪車又は三輪車両に適用することができる。
【０００９】
図１は本発明により提供される盗難防止システムの全体的なアーキテクチャを示す図である。図１に示すように、該システムは移動通信装置１、クラウドコンピューティング装置２及び自転車３を含む。自転車３は盗難防止錠３０を含む。移動通信装置１は、無線ネットワークによりクラウドコンピューティング装置２と通信を確立し、クラウドコンピューティング装置２は、無線ネットワークにより自転車の盗難防止錠３０と通信を確立し、クラウドコンピューティング装置２及び／又は移動通信装置１は、自転車３の盗難防止錠３０により送信される自転車状態情報などを受信し該自転車を管理し、また、移動通信装置１は、クラウドコンピューティング装置２により該自転車３の盗難防止錠３０を制御し、又はクラウドコンピューティング装置２は、該自転車３の盗難防止錠３０を直接に制御する。
【００１０】
本発明において、移動通信装置１は、例えば、有線又は無線ネットワークなどの方式により信号を送受信することができ、又は、例えばメモリにおいて信号を処理したり、物理的記憶状態に記憶することができる。各移動通信装置１は、ハードウェア、ソフトウェア、又は埋め込み論理素子又は２つ以上のこのような部材の組合せの電子機器であって、移動通信装置により実施又はサポートされる適切な機能を実行することができてよい。例えば、移動通信装置はスマートフォン、タブレット型パソコン、携帯型電子メール装置、電子書籍、携帯型ゲーム機及び／又はゲームコントローラ、ノートパソコン、ネットブック、携帯型電子機器、スマートウエアラブル装置などであってもよい。本発明は如何なる適切の移動通信装置をカバーする。移動通信装置は該移動通信装置を使用するユーザーをネットワークにアクセスさせることができる。具体的には、移動通信装置は、アプリケーション処理部及び無線周波数／デジタル信号プロセッサを含む処理装置と、ディスプレイと、物理キー、ディスプレイにカバーされるタッチキー又はそれらの組合せを含むことができるキーパッドと、ユーザー識別モジュールカードと、ＲＯＭ、ＲＡＭ、フラッシュメモリ又はそれらの任意の組合せを含むことができるメモリ装置と、Ｗｉ−Ｆｉ及び／又はブルートゥースインターフェースと、無線電話インターフェースと、関連電池を備える電源管理回路と、ＵＳＢインターフェース及びコネクタと、関連マイクロフォン、スピーカ及びヘッドセットジャックを備えるオーディオ管理システムと、様々な、例えばデジタルカメラ、全地球測位システム、加速器などの選択可能な付属部品と、を含むことができる。また、移動通信装置において、様々なクライアントアプリケイションをインストールすることができ、クライアントアプリケイションは、移動通信装置を使用し別の装置操作に適応されるコマンドを送信することを許容するのに用いられることができる。このアプリケイションは、サーバーからダウンロードして移動通信装置のメモリにインストールされてもよく、移動通信装置に予めインストールされておいてもよい。本発明において、移動通信装置１には自転車ユーザー端末アプリケイションがインストールされ、自転車ユーザー端末アプリケイションは、ユーザーが、盗難防止を含むことができるがそれに限定されない自転車３を管理する機能を実現することに寄与することができる。本発明の別の実施例において、移動通信装置１は、さらに保守要員アプリケイションをインストールすることができ、保守要員アプリケイションは保守要員が、盗難防止、保守を含むことができるがそれに限定されない自転車３に対する運営管理機能を実現することに寄与する。本発明の一部の実施例により、自転車ユーザー端末を実行することにより、移動通信装置１は自転車３の位置などを獲得することができる。そして、自転車３の盗難が発生された状況において、移動通信装置１でクラウドコンピューティング装置２からの提示メッセージを受信することができる。また、ユーザーは移動通信装置１により自転車３に対して長距離解錠を行うことができる。
【００１１】
本発明において、クラウドコンピューティング装置２はサーバーである。ここは、サーバーとは、処理、データベース、通信施設を提供するサービスポイントに理解されるべきである。例えば、サーバーはかかる通信、データ記憶及びデータベース施設を備える単一の物理プロセッサを指してもよく、又はそれがネットワーキング又はクラスタのプロセッサ、かかるネットワーク及び記憶装置の集合体を指してもよく、そして、ソフトウェア及び１つ又は複数のデータベースシステム及びサポートサーバーにより提供されるサービスのアプリケーションソフトウエアに対し操作を行う。サーバーは機器構成又は性能において大きい差を有することができるが、サーバーは、一般的に、１つ又は複数の中央処理装置及びメモリを含むことができる。サーバーは、さらに、１つ又は複数の大容量記憶装置と、１つ又は複数の電源と、１つ又は複数の有線又は無線ネットワークインターフェースと、１つ又は複数の入力／出力インターフェース、又は１つ又は複数の、例えばＷｉｎｄｏｗｓ  Ｓｅｒｖｅｒ、Ｍａｃ  ＯＳ  Ｘ、Ｕｎｉｘ、Ｌｉｎｕｘ、ＦｒｅｅＢＳＤなどのようなオペレーティングシステムを含む。具体的には、クラウドコンピューティング装置は一体式サーバー又は複数のコンピュータ又はコンピュータデータセンターを渡る分散式サーバーであってもよい。サーバーは、例えば、ネットワークサーバー、ニュースサーバー、メールサーバー、メッセージサーバー、アドサーバー、ファイルサーバー、アプリケーションサーバー、対話サーバ、データベースサーバー、又はプロキシサーバーであるがこれに限らないような様々なタイプであってもよい。この一部の実施例において、各サーバーはハードウェア、ソフトウェア、又はサーバーにサポートされ又は実現される適切な機能を埋め込み論理素子又は２つ以上のこのような部材の組合せを含むことができる。本発明において、サーバーは自転車の管理をサポートするのに必要とする全機能を提供する。本発明において、クラウドコンピューティング装置は盗難防止錠により送信される信号が窃盗行為により生成されるものか否かを計算し判断することができる。また、クラウドコンピューティング装置は、警報を発するか又はしないように盗難防止錠を制御するため、盗難防止錠にコマンドを送信することができ、クラウドコンピューティング装置は、盗難防止錠３０を周期的又はリアルタイムに状態情報（例えば、測位情報など）をアップロードさせるように、さらに盗難防止錠にコマンドを送信することができる。
【００１２】
本発明において、無線ネットワークは、例えば、４Ｇネットワーク、３Ｇネットワーク、ＧＰＲＳ、Ｗｉ−Ｆｉなどであってよいが、これに限らないく、如何なる適切な無線ネットワークをカバーする。また、クラウドコンピューティング装置２を移動通信装置１に連結される無線ネットワークは、クラウドコンピューティング装置２を自転車３に連結される無線ネットワークと同一無線ネットワークであってもよく、異なる無線ネットワークであってもよい。
「盗難防止錠機能モジュール」
【００１３】
図２は本発明により提供される自転車盗難防止錠３０の機能モジュールを示す模式図である。図２に示すように、盗難防止錠３０は、ＣＰＵモジュール３０１と、該ＣＰＵモジュール３０１にそれぞれ通信可能に接続される受／送信モジュール３０２、クロックモジュール３０３、測位モジュール３０４、振動センサモジュール３０５、警報モジュール３０６、錠制御モジュール３０７、メモリ３１３、及び各モジュールに電力供給する電力供給モジュール３０８を含む。
【００１４】
ＣＰＵモジュール３０１は、盗難防止錠３０の中央処理部であり、盗難防止錠３０の各モジュールの動作などを全体的に制御し、例えばクラウドコンピューティング装置２からのコマンド、本盗難防止錠３０の別の各モジュールからの情報などを処理し、別の各モジュールに制御コマンドを送信する。
【００１５】
受／送信モジュール３０２は、例えば、後述のアンテナ、バッファメモリなどを含み、無線ネットワークに接続することができ、ＣＰＵモジュール３０１の制御により移動通信装置１、クラウドコンピューティング装置２などの外部装置の間に情報を受送信する。
【００１６】
クロックモジュール３０３は、ＣＰＵモジュール３０１及び移動通信装置１、クラウドコンピューティング装置２が本自転車３の現在の時間情報を取得することができるように、ＣＰＵモジュール３０１に時間情報を提供する。例えば、クラウドコンピューティング装置２のクロックに準ずるような自転車３の現在の時間情報を必要としない場合、該クロックモジュール３０３がなくてもよい。自転車３が、例えば自転車が窃盗された時に、ちょうど通信環境が悪い様々な環境にある可能性があることを考慮すると、その後自転車３が通信可能な環境に移動することに伴い、クラウドコンピューティング装置２は盗難防止錠３０により送信される情報などにより該自転車が窃盗されたことを知ることができるが、窃盗された具体的な時間を把握することができない。従って、好ましくは、盗難防止錠３０は該クロックモジュール３０３を備え、適切な盗難防止策を採用させるために、自転車３が窃盗された時適時に窃盗された実際の時間をメモリに記憶して即刻又はその後にクラウドコンピューティング装置２及び／又は移動通信装置１に送信することができる。需要に応じて、該クロックモジュール３０３は、ＣＰＵモジュール３０１に集積されてもよい
【００１７】
測位モジュール３０４は、例えばＧＰＳモジュール又は北斗衛星測位モジュールなどであって、現時点の位置情報（以下、測位情報と称す）を収集しＣＰＵモジュール３０１に報告することができ、ＣＰＵモジュール３０１の制御により、該測位情報は受／送信モジュール３０２により移動通信装置１及び／又はクラウドコンピューティング装置２などの外部装置に送信することができる。
【００１８】
振動センサモジュール３０５は、例えば、加速度センサなど様々な振動を検出するセンサを採用してよく、振動を検出しＣＰＵモジュール３０１に振動強度などの情報を提供することができるセンサであれば、加速度センサに制限されない。
【００１９】
警報モジュール３０６は、例えば、ＣＰＵモジュール３０１による警報表示信号を受信した時、音声警報及び／又は光警報などの方式により現場で警報を行うことができる。説明すべきことは、本発明の盗難防止システムは、測位及び自転車追跡機能を備えるため、現場での警報に用いられる該警報モジュール３０６は、本発明の盗難防止システムに必須の構成要素ではない。
【００２０】
錠制御モジュール３０７は、ＣＰＵモジュール３０１の指示により本盗難防止錠３０のロックピンの解錠を実現し、本盗難防止錠３０の錠状態情報（施錠状態、解錠状態）を監視しＣＰＵモジュール３０１に報告することができる。
【００２１】
メモリ３１３は、クロックモジュール３０３によりＣＰＵモジュール３０１に提供される時間情報、測位モジュール３０４によりＣＰＵモジュール３０１に提供される測位情報を記憶し、需要に応じて、振動センサモジュール３０５によりＣＰＵモジュール３０１に提供される振動強度情報を記憶してもよい。
【００２２】
電力供給モジュール３０８は、後述の電池などを含み、上記様々な電子モジュールに電力供給することができる。説明すべきことは、後述の実施例において、電力供給モジュール３０８は、電気エネルギー備蓄装置として電池を含んでいるが、外部からリアルタイムに電力供給されることができる状況において、例えば、太陽エネルギーにより電力供給される時、電池を備えず、例えば太陽光発電素子及びコンデンサなどの組合せにより該電力供給モジュールを実現してもよい。また、図２において、電力供給モジュール３０８は、ＣＰＵモジュール３０１に電気的に接続され、ＣＰＵモジュール３０１を介し別の各モジュールに電力供給するるものであるが、各モジュールにそれぞれ電気的に接続し電力供給することができる。
【００２３】
説明すべきことは、図２に示すような各モジュールの全部は下記実施例のように錠と一体化に集積されるものであってもよく、その一部のモジュールは単独の車載電子装置（盗難防止監視装置）として錠の外に存在してもよく、必要な回路などにより錠との間に必要な関連情報を受送信することができればよい。例えば、錠制御モジュール３０７における後述のモータアセンブリ及び位置センサなどの盗難防止錠内に取り付ける必要がある部品以外、いずれも単独の車載電子装置（盗難防止監視装置）として錠の外に存在することができる。
「盗難防止システム」
【００２４】
以下、本発明における盗難防止システムの盗難防止方法を説明する。図１０は本発明における盗難防止方法のプロセスを示す図である。
【００２５】
先ず、ＣＰＵモジュール３０１は、予め設定されておいたサイクル（Ｓ１０１）に応じて定期的に自己をウェイクアップさせて錠制御モジュール３０７をウェイクアップさせ、現在の盗難防止錠の錠状態情報（Ｓ１０２）を尋ねる。
【００２６】
錠制御モジュール３０７によりＣＰＵモジュール３０１に戻される信号は、該盗難防止錠が解錠状態（Ｓ１０３の「解錠」）にあることを表示する場合、ＣＰＵモジュール３０１は自転車が正常に使用されている状態にあることと判断し、故に第１スリープモードを起動し、受／送信モジュール３０２、クロックモジュール３０３、測位モジュール３０４、警報モジュール３０６及び錠制御モジュール３０７にスリープ状態に入らせることを指示し、自分もスリープ状態に入り、振動センサモジュール３０５により送信される振動検出信号（Ｓ１０４）を無視又は遮蔽し、次のウェイクアップサイクル（Ｓ１０１）を待つ。そのため、自転車が正常に使用される時各モジュールのスリープにより節電になる。
【００２７】
錠制御モジュール３０７によりＣＰＵモジュール３０１に戻される信号は、該盗難防止錠が施錠状態（Ｓ１０３の「施錠」）にあることを表示する場合、ＣＰＵモジュール３０１は第２スリープモードを起動し、依然として受／送信モジュール３０２、クロックモジュール３０３、測位モジュール３０４、警報モジュール３０６及び錠制御モジュール３０７にスリープ状態に入らせることを指示し、自分もスリープ状態に入るが、振動センサモジュール３０５により送信される振動検出信号（Ｓ１０６）を無視又は遮蔽しない。
【００２８】
この状況において、振動センサモジュール３０５は、振動を検出した時（Ｓ１０７の「ある」）、ＣＰＵモジュール３０１に振動検出信号を送信し、ＣＰＵモジュール３０１は該振動検出信号に基づいてウェイクアップされ、振動検出信号に含まれる振動強度情報（Ｓ１０８）を収集し、該振動強度は予め設定された閾値α（Ｓ１０９）を超えたか否かを判断する。
【００２９】
振動強度が予め設定された閾値αを超えていない場合、該振動が破壊行為により引き起こされたものではないと判断し、偶然の軽微の揺れに過ぎず、故に第２スリープモードに戻る（Ｓ１０９の「いいえ」）。
【００３０】
振動強度が予め設定された閾値αを超えた場合（Ｓ１０９の「はい」）、該振動が破壊行為により引き起こされたものだと判断し、故に全てのモジュールをウェイクアップさせ、引続き又は予め設定された時間間隔により断続的に測位情報、現在の時間情報などを収集し（Ｓ１１０）、警報モジュール３０６に警報を発させることを指示する（Ｓ１１１）。同時に、受／送信モジュール３０２により、クラウドコンピューティング装置２及び／又は移動通信装置１などの外部装置と通信することができるか否かを検出し（Ｓ１１２）、通信することができる場合（Ｓ１１２の「できる」）、収集された測位情報、現在の時間情報をクラウドコンピューティング装置２及び／又は移動通信装置１などの外部装置に報告する（Ｓ１１３）。一時的に通信することができない場合（Ｓ１１２の「できない」）、収集された測位情報、現在の時間情報などをメモリに記憶し（Ｓ１１４）、引続き又は予め設定された時間間隔により断続的にクラウドコンピューティング装置２及び／又は移動通信装置１などの外部装置と通信することができるか否かを検出し（Ｓ１１２）、通信することができる場合（Ｓ１１２の「できる」）、記憶された測位情報、現在の時間情報などをクラウドコンピューティング装置２及び／又は移動通信装置１などの外部装置に報告する（Ｓ１１３）。また、ステップＳ１１０において、引続き振動強度情報を収集し、ステップＳ１１４において該振動強度情報を記憶することができ、ステップＳ１１３において該収集された振動強度情報を一緒にクラウドコンピューティング装置２及び／又は移動通信装置１などの外部装置に報告する。
「盗難防止錠の具体的な実施例」
【００３１】
図３〜図９は、盗難防止錠３０の具体的な実施例を示す。
【００３２】
以下、説明しやすくするため、図３の（Ａ）に示す状態を基準とし、盗難防止錠３０の幅方向を左右方向に定義し、盗難防止錠３０の高さ方向を上下方向に定義し、盗難防止錠３０の厚さ方向を前後方向に定義する。また、ある場合、図３の（Ａ）に示す盗難防止錠の面を正面又は前面を称し、図３の（Ｂ）に示す盗難防止錠の面を背面又は後面を称する。
「ケースに関する」
【００３３】
図３は、盗難防止錠３０の全体的な外観を示す模式図であり、図３の（Ａ）は盗難防止錠３０の正面図であり、図３の（Ｂ）は盗難防止錠３０の後面図である。図４は盗難防止錠３０の斜視図である。
【００３４】
図３の（Ａ）に示すように、本実施例の盗難防止錠３０は馬蹄錠であり、そのケース３０９は全体的に馬蹄形に形成され、錠本体部と、前記錠本体部の左右両側からそれぞれ伸び出し、前記ほぼＣの字形の開口部を形成するサイドアームを備える。錠本体部の頂部中央部には自転車などに該盗難防止錠３０を取付けるための錠取付孔３０９４が形成され、例えば自転車のフレームパイプに嵌接することができる。
【００３５】
錠取付孔３０９４の下方には測位モジュール取付部が設けられ、該部位にＧＰＳ保護カバー３０４３を取付け、その内部に後述のＧＰＳモジュール３０４２などを格納する。図４を参照し、錠取付孔３０９４とＧＰＳ保護カバー３０４３及びその近傍の周辺部位は、ケース３０９の正面の他の部位より前に突出し、正面平面内における投影面積が徐々に縮小する四角錐台形状に形成され（以下、四角錐台３０９５と略称する）、且つＧＰＳ保護カバー３０４３は、取り付けられた後、その正面、側面が全て四角錐台３０９５の他の部分にスムーズに移行するように設計される。そのため、後述のようにＧＰＳ保護カバー３０４３をケース３０９に固定した後、力を入れ該ＧＰＳ保護カバー３０４３を開き難く、それにより盗難防止錠本体をよりよく保護し破壊されないようにすることができる。また、ＧＰＳ保護カバー３０４３の下方に寄る位置には、後述の導光柱３０６３を露出させるための導光孔３１０５が設けられる。
【００３６】
図３の（Ａ）に戻り、四角錐台３０９５の下方は馬蹄錠のリング錠部分であり、下に開口するＣの字形の開口部に形成される。後述の図７を参照し、ケースの該リング錠部分の内部にはＣの字形のスロット３１２が形成される。また、リング錠部分の１つのサイドアームにはロックピンハンドル３０７９を摺動するようにガイドするスライド孔がさらに形成される。
【００３７】
また、図５を参照し、上カバー３０９１の左右方向の一側（本実施例において右側である）の側壁には、窓３０９３がさらに設けられている。盗難防止錠３０の耐損傷性を補強するため、好ましくは、例えばステンレスなどの金属材質を採用し盗難防止錠のケース３０９を構成し、ただし金属材質のケースはその内部に格納される受／送信モジュール３０２（アンテナ３０２１）の無線受送信を遮蔽又は過度にブロックし、該窓３０９３を設けることにより、ケース３０９がアンテナ３０２１の受送信する信号に対する影響を減ることができる。
【００３８】
また、図３の（Ｂ）に示すように、ケース３０９の背面、後述の電池室ケーシング３１０の透音孔３１０４に対応する位置には音声警報孔３０９６が設けられている。
「内部部材に関する」
【００３９】
図５は盗難防止錠３０の各構成部品を例示的に示す分解図である。図５に示すように、該盗難防止錠３０は、上カバー３０９１及び下カバー３０９２により構成されるケースと、電池室上カバー３１０１及び電池室下カバー３１０２により構成される電池室ケーシングと、電池室ケーシング内に格納される電池３０８１と、電池室ケーシング内に格納され、上記したＣＰＵモジュール３０１、受／送信モジュール３０２、クロックモジュール３０３、振動センサモジュール３０５、音声警報モジュール３０６１、及び錠制御モジュール３０７の一部（モータドライバ、図示せず）が集積されるＰＣＢ基板３１１と、ボルト３０７１と、該ボルト３０７１に接続されるばね３０７８と、ボルト３０７１の左右両側に配置される第１リミットスイッチ３０７２Ａ及び第２リミットスイッチ３０７２Ｂを含む位置センサと、ボルト３０７１の移動に動力を提供するモータ３０７７、モータ３０７７の出力軸側に取付けられるパッキング３０７６及び、モータ３０７７とパッキング３０７６を格納するモータボックス３０７５により組合せられるモータアセンブリと、モータ３０７７の出力軸に接続され該出力軸と共に回転するクランク部材３０７４と、ケースの下部に形成されるＣの字形のスロット３１２内に格納される引張ばね３０７３Ａ及びロックピン３０７３Ｂと、ロックピン３０７３Ｂに接続されケースから露出されるロックピンハンドル３０７９と、パッキング３０４１と、ＧＰＳモジュール及び光警報モジュールが集積されるＧＰＳ回路基板３０４２と、ＧＰＳ保護カバー３０４３と、導光柱３０６３と、を含む。
「電池室に関する」
【００４０】
図６は本実施例における電池室ケーシング３１０の形状構造を例示的に示す斜視図である。図６に示すように、電池室ケーシング３１０は電池室上カバー３１０１と電池室下カバー３１０２をボルトにより接続することにより構成され、接続する一周に沿ってシールリング３１０３（図５を参照する）を設け、内部に防水防塵の密閉空間を形成し、上記電池３０８１及びＰＣＢ基板３１１を格納するための電池室とする、。当然、電池室上カバー３１０１と電池室下カバー３１０２は係合、接着、リベット接合などの任意の方式により接合することができる。
【００４１】
本実施例において、電池室ケーシング３１０は上下方向にケース３０９内の錠取付孔３０９４とＣの字形スロット３１２の間の空間内に取付けられ、錠取付孔３０９４とＣの字形スロット３１２に対応する位置に、錠取付孔３０９４とＣの字形スロット３１２を回避する方式によりそれぞれ窪みを形成する（図７を参照する）。図６に示すように、電池室ケーシング３１０の厚さが一致していなく、左右方向に厚さが小さい薄肉シェル部と厚さが大きい厚肉シェル部とを含み、薄肉シェル部の内部空間が扁平であり、厚肉シェル部の内部空間が深く、薄肉シェル部と厚肉シェル部の間には階段状移行部が形成される。
【００４２】
また、電池室ケーシング３１０の薄肉シェル部にはさらに電線を通すためのアウトレット３１０７が設けられ、ＰＣＢ基板３１１の配線は該アウトレット３１０７から引き出され、後述のモータ及び位置センサに接続され、それのために電気エネルギーを提供し、制御信号を送受信する。該アウトレット３１０７は電池室上カバー３１０１の薄肉シェル部に設けられ、後述の錠制御モジュールのモータアセンブリ、位置センサは全て該電池室上カバー３１０１の薄肉シェル部に設けられ、故にアウトレットとモータアセンブリ及び位置センサとの配置位置をより近接させることができ、それにより配線の長さを短縮し、各部品の配置をよりコンパクトにすることができる。また、ケース３０９（下カバー３０９２）及び電池室ケーシング３１０（電池室下カバー３１０２）の錠取付孔に対応する部位にはインレット３１０８が設けられ（図５を参照する）、該インレットにより、ケースの外部から電池室内に、例えば電池３０８１に充電する送電線などを引き入れることができる。該錠取付孔は自転車のフレームパイプに嵌接されることにより盗難防止錠の取付を実現し、故にフレームパイプの対応する部位に盗難防止錠３０のインレット３１０８に対応するリード線孔をあけることによって、送電線などをフレームパイプ内部に隠れ配線させることができ、該送電線が簡単に破壊されることを避けることにより、盗難防止錠の自身の安全性を大幅に向上させる。
【００４３】
図５及び図７の（Ｂ）を参照し、電池室ケーシング３１０の左右両側壁の中央部のより上の位置には係合溝３１０５が設けられ、ＰＣＢ基板３１１は板面法線が錠正面にほぼ平行する方式により係合溝３１０５に挿入されている。また、ＰＣＢ基板３１１の前後方向における幅は電池室ケーシング３１０の厚さの変化に合わせて変化するものであり、即ち、ＰＣＢ基板３１１の厚肉シェル部内に位置する部分の前後方向における幅が広く、薄肉シェル部内に位置する部分の前後方向における幅が狭い。また、本実施例において、電池３０８１は、例えばリチウムイオン電池を採用すると、全体形状がほぼ長方体形状であり、長方体の６つの面において面積が最大の面（以下、最大表面と称する）が前記ＰＣＢ基板の板面にほぼ平行する方式により電池室ケーシング３１０の厚肉シェル部内に固定される。
【００４４】
一般的に、ＰＣＢ基板に各モジュールを取付けることに十分の空間を確保するため、ＰＣＢ基板の面積を縮小する面において制限される。また、電池は十分の電池容量を確保するため、電池パックの体積を縮小する面においても制限される。従って、ＰＣＢ基板の板面及びほぼ長方体形状の電池パックの最大表面が盗難防止錠の正面に平行する方式により盗難防止錠内に取付ける場合、盗難防止錠全体の厚さを抑制することができるが、盗難防止錠の正面面積を増やさなければならなく、Ｃの字形３１２及び錠取付孔３０９４が錠の正面に占める面積が縮小することができない状況において、錠の高さ方向（上下方向）又は幅方向（左右方向）に面積を増やすことによりＰＣＢ基板及び電池パックの取付要求を満足するしかなく、これは盗難防止錠全体が大きく見えることをもたらし、盗難防止錠の美しさを影響し、盗難防止錠の取付に影響する可能性がある。本実施例において、盗難防止錠の厚さ方向における空間を十分に利用し、ＰＣＢ基板の板面及び電池の最大表面が錠の正面に垂直するようにＣの字形３１２及び錠取付孔３０９４の間の空間に挿されることにより、錠の正面面積を過大に増やすことなく、錠がより美しく見え、取付けやすくするようにさせる。
【００４５】
また、電池室ケーシングが薄肉シェル部及び厚肉シェル部を備えさせることにより、厚肉シェル部内における上記のように電池及びＰＣＢ基板の主要部分を取付け、電池及びＰＣＢ基板の取付空間を確保することができ、同時に薄肉シェル部の外側空間を利用し後述のモータアセンブリ、ボルト、位置センサなどを取付けることができる。このため、ケース３０９内の限定された空間内に各モジュールをコンパクトに配置することができ、それにより盗難防止錠全体の体積を減少することができる。
【００４６】
また、電池室ケーシング３１０におけるケース３０９の窓３０９３に対応する側壁部に、図７の（Ａ）に示すように突起３１０７が形成され、該突起３１０７の形状が窓３０９３の形状にマッチングし、厳密に窓３０９３内に嵌設される。電池室ケーシング３１０全体は強度を確保するため硬質な金属又はプラスチックなどの材料を採用し構成することができるが、ただし少なくとも該突起３１０７がアンテナ３０２１の受送信に対し実質的な影響を与えない硬質材料により構成される。
「警報モジュールに関する」
【００４７】
図５を参照し、本実施例において、警報モジュール３０６は音警報を生成することができる音警報モジュール３０６１（例えば、ブザ及びそのドライバ）及び光警報を発することができる光警報モジュール（例えば、ＬＥＤモジュール及びそのドライバ、図示せず）を含む。音声警報モジュール３０６１の取付位置に対応し、電池室ケーシング３１０（本実施例において、電池室下カバー３１０２の下方位置に設けられる）には透音孔３１０４が設けられ、該透音孔には防水透音膜が貼られ、警報音が外に伝達することに影響しなく、ほこり又は水などが該透音孔を通って電池室内に入ることの防止もできる。
【００４８】
また、光警報モジュールはＧＰＳ回路基板３０４２に取付けられ、それは後述のＧＰＳ回路基板３０４２に設けられるピン３０４４により通信可能にＣＰＵモジュール３０１に接続し、ＣＰＵモジュール３０１の制御において光警報を発する。また、後述のＧＰＳ保護カバー３０４３には導光孔３１０５（図４を参照する）が設けられ、導光柱３０６３が該導光孔３１０５からＧＰＳ保護カバー３０４３の外部（図３の（Ａ）を参照する）に露出し、それによりＬＥＤが発する光を盗難防止錠の外部に出すことができる。
【００４９】
光警報モジュールを盗難防止錠外面に近接するＧＰＳ回路基板に設けることにより、ＬＥＤが発する光を盗難防止錠内部から外部にガイドするルートの長さを縮むことができ、光警報の輝度を保証するだけでなく、回路配線の設計を簡単化する。
【００５０】
説明すべきことは、本実施例において音警報モジュール３０６１及び光警報モジュールを同時に備えるが、需要に応じてそのうちの１つのみを備えることができる。又は、前記のように本発明の盗難防止システムはさらに別の盗難防止策を有し、故に盗難防止錠３０は該警報モジュール３０６を備えなくてもよい。
「受／送信モジュールに関する」
【００５１】
ＰＣＢ基板３１１に集積される受／送信モジュール３０２として、図５及び図８を参照し、ＰＣＢ基板３１１のケース３０９の窓３０９３に近接する位置には、アンテナ３０２１が設けられている。そのため、アンテナが移動通信装置１、クラウドコンピューティング装置２と無線ネットワークにより信号を受送信する時、信号はケース３０９又は電池室ケーシング３１０に遮蔽又はブロックされ、情報の受送信が悪いことをもたらす状況を防止することができる。
「測位モジュールに関する」
【００５２】
測位モジュール３０４として、本実施例においてＧＰＳモジュールを採用する。図５を参照し、前記のようにＧＰＳ保護カバー３０４３は四角錐台形状に形成され、その内部にＧＰＳ回路基板３０４２を格納した後、パッキング３０４１を挟んで上カバー３０９１の正面側の測位モジュール取付部に掛けられ、係合、接着、ボルト又はリベット接合などの方式により上カバー３０９１に固定される。ＧＰＳ保護カバーは硬質（破損し難い）、且つＧＰＳ信号の受信に対し実質的な影響を与えない材質を採用し構成することが好ましい。このため、ＧＰＳ回路基板３０４２は防水防塵するようにＧＰＳ保護カバー３０４３とパッキング３０４１により囲まれる密閉空間内に密閉され、ＰＧＳ信号の受信を確保することができるだけでなく、ＧＰＳ回路基板３０４２が損害されないように保護することができる。また、ＧＰＳ回路基板３０４２のピン３０４４はパッキング３０４１、上カバー３０９１及び電池室ケーシング３０９（具体的には電池室上カバー３１０１である）の対応位置において設置されたピン貫通孔３１０６（図５及び図７の（Ａ）を参照する）を貫通しＰＣＢ基板３１１に設けられるコネクタに挿し込まれることにより、ＧＰＳ回路基板におけるＧＰＳモジュール及び光警報モジュールがＰＣＢ基板３１１におけるＣＰＵモジュール３０１と通信することができる。
「錠制御モジュールに関する」
【００５３】
図７は本実施例における盗難防止錠３０の内部構造を示す略図であり、（Ａ）は正面から見る時の上カバー３０９１及びパッキング３０４１、ＧＰＳ回路基板３０４２、ＧＰＳ保護カバー３０４３を取外した後の様子であり、（Ｂ）は後面から見る時下カバー３０９２を取外した後の様子である。図８は正面右から見る時、上カバー３０９１、電池室上カバー３１０１、及びパッキング３０４１、ＧＰＳ回路基板３０４２、ＧＰＳ保護カバー３０４３を取外した後の斜視図である。
【００５４】
本発明における盗難防止錠の機械部分は、自身の移動により開口部を開放又は閉鎖することにより、解錠又は施錠し、ブロック溝が設けられるロックピンと、ロックピンのブロック溝に出入りすることによりロックピンの移動を拘束又は解放するボルトと、ロックピンに対し解錠方向に移動する力を付勢する第１付勢部材と、ボルトに対しロックピンのブロック溝に入る方向に移動する力を付勢する第２付勢部材と、を含む。
【００５５】
錠制御モジュールは、ＣＰＵからの指示信号を受信し、モータアセンブリの出力軸の回転を制御するモータドライバと、モータドライバの駆動信号により出力軸を回転させるモータアセンブリと、モータアセンブリの出力軸に接続され、モータアセンブリの回転駆動力を、ボルトをロックピンのブロック溝から送り出す駆動力に変換するボルト駆動部材と、ボルトの位置を検出し、ＣＰＵにボルトの位置を表示する信号を出力する位置センサと、を含む。
【００５６】
具体的な本実施例において、盗難防止錠３０は馬蹄錠の形式を採用し、ロックピン３０７３Ｂはリングロックピンであり、ケース３０９に沿って設けられるリング形スロット３１２の移動により開口部を開放又は閉鎖することにより、解錠又は施錠を実現する。
【００５７】
ボルト３０７１はロックピン３０７３Ｂに設けられるブロック溝を出入りすることにより、ロックピン３０７３ＢがＣの字形３１２に沿って移動することを拘束又は解放する。図８を参照し、ボルト３０７１の中央部にはクランク部材３０７４の突起ハンドルが伸びるための駆動孔が開設されている。
【００５８】
第１付勢部材は本実施例において引張ばね３０７３Ａに表現され、その一端はスロット３１２内に固定され、他端はロックピン３０７３Ｂの開口部ではない端に接続され、ロックピン３０７３Ｂに解錠方向に引く力を付勢する。当然、変形例において、例えば一端はスロット３１２内に固定され、他端はロックピン３０７３Ｂに解錠方向に弾く力を付勢するばねを採用してもよい。即ち、施錠時、ロックピン３０７３Ｂの開口部を閉鎖しばねを圧縮し、ばねがロックピンを弾き返す力を生成し、そのため、ボルトがブロック溝から外された時、ばねの力が解放され、ロックピンを弾き出すことにより、開口部を開放する。それ以外に、別の方式を採用し該機能を実現することができる。
【００５９】
また、図５を参照し、モータアセンブリは、本実施例において、ボルト３０７１の移動に動力源を提供するモータ３０７７と、モータ３０７７の出力軸側に取り付けられるパッキング３０７６と、モータ３０７７及びパッキング３０７６を格納するモータボックス３０７５と、を含む。モータ３０７７に対しパッキング３０７６及びモータボックス３０７５を設けることにより、防塵防水のモータアセンブリを形成することができ、盗難防止錠の耐環境性を向上させる。該モータアセンブリは、ＰＣＢ基板３１１に取り付けられるモータドライバ（図示せず）の駆動により出力軸を回転させる。
【００６０】
ボルト駆動部材は本実施例においてクランク構造を採用する。図５を参照し、クランク部材３０７４の一端はモータアセンブリの出力軸に接続され、他端には、ボルトに形成される駆動孔に差し込む突起ハンドルが形成され、モータアセンブリの出力軸が回転する時、該突起ハンドルを、偏心距離が半径である円形軌跡に沿って回転するように駆動する。また、ボルト駆動部材は、当然本実施例のクランク構造に制限されず、モータアセンブリの回転駆動力を、ボルトをロックピンのブロック溝から送り出す駆動力に変換する構造であれば、任意の伝動方式を採用することができ、例えば、ウォーム構造を採用することができる。
【００６１】
前記のようにボルト３０７１には駆動孔が形成され、該駆動孔内にはストッパが形成される。駆動孔は以下の解錠及び施錠過程を実現することができる形状に形成される。
【００６２】
解錠過程において、ボルト３０７１がロックピンのブロック溝内に位置する時、クランク部材の突起ハンドルは駆動孔内の非ストッパ位置に待機し、解錠を準備する時、クランク部材の突起ハンドルは駆動孔内においてストッパ位置まで回転した時ストッパに阻止され、突起ハンドルはストッパを支え引き続き回転することにより、ボルト３０７１がブロック溝から外される方向に移動するように駆動し、この時ボルト３０７１にロックピン３０７３Ｂのブロック溝に入る力を付勢するばね３０７８が圧縮され、突起ハンドルが引き続き回転しストッパの阻止を超えた時、ロックピン３０７３Ｂがブロック溝から外される方向に移動する力を失い、それによりばね３０７８により付勢される力の作用でロックピンのブロック溝に入る方向に、ロックピンに当接するまで移動し、この時ロックピンは引張ばね３０７３Ａの作用で解錠状態に変位し、ブロック溝は既にボルトに対応しない位置まで移動し、故にロックピンはロックピンの非ブロック溝部位に当接し、この時、クランク部材の突起ハンドルは第１位置まで戻るように回転して待機する。
【００６３】
施錠過程において、ロックピン３０７３が施錠方向に引かれる場合、ブロック溝はロックピン３０７３Ｂの移動に伴いボルト３０７１に対応する位置まで移動した時、ボルト３０７１がばね３０７８の押す力によりブロック溝に入り、ロックピン３０７３Ｂの移動を留めることにより、施錠を完成させる。
【００６４】
上記過程を実現するため、駆動孔は様々な形状を採用することができる。例えば、本実施例において、駆動孔はほぼ「ｂ」の字形状に形成され、該「ｂ」の字の右半円の頂部は前記ストッパに対応される。例えば、該「ｂ」の字形駆動孔の右半円が縦糸に接続される部分の中央部位置は上記第１位置とし、突起ハンドルがここで待機し（以下、第１位置と称する）、解錠過程において突起ハンドルが反時計回りで右半円に沿って下から上に右半円の頂部（ストッパ）まで回転した時、突起ハンドルがストッパを支えボルトが全体的に上方（ブロック溝から送り出す方向）に移動するように駆動し、突起ハンドルが間もなくストッパを超える限界位置（以下、第２位置と称する）に達する時、ボルトが上方（ブロック溝から外される方向）に移動する最大位置に達し、そして突起ハンドルがストッパを超え、「ｂ」の字形駆動孔の縦孔部分に入り、ボルトが上に支える力を失うことにより、ばね３０７８の押す力の作用において下方（ブロック溝に入る方向）に移動し、ロックピンに当接し、この時突起ハンドルが回転を停止し又は第１位置に戻るように回転して待機する。
【００６５】
図９は駆動孔の例示的な形状を示す図である。「ｂ」の字形駆動孔に関し、図９の（Ａ）に示すようなほぼ３／４真円であり、又は図９の（Ｂ）に示すようなほぼ３／４長楕円であってもよい。該真円又は長楕円の直径又は短軸は突起ハンドルの回転軌跡円の直径以上であればよい。また、「ｂ」の字形孔を採用しなく、図９の（Ｃ）に示すように、ほぼ円孔内には、前記ストッパとして作用を発揮する突起を設けてもよい。従って、駆動孔の形状が様々であり、クランク部材に合わせ上記解錠及び施錠過程を実現することができるだけでよい。
【００６６】
また、本実施例において、ボルト３０７１の位置を検出する位置センサ３０７２は、ボルト３０７１の左右両側にそれぞれ位置する第１リミットスイッチ３０７２Ａ及び第２リミットスイッチ３０７２Ｂを含む。該２つのリミットスイッチは圧力センサを採用し実現することができる。具体的には、図７の（Ａ）を参照し、ボルト３０７１の両側において、その移動方向においてずらされる位置に第１リミットスイッチ３０７２Ａ及び第２リミットスイッチ３０７２Ｂがそれぞれ設けられ、第１リミットスイッチ３０７２Ａ及び第２リミットスイッチ３０７２Ｂは第１リミットシート３０７１Ａ及び第２リミットシート３０７１Ｂに対応する位置にそれぞれ設けられる。ボルト３０７１がロックピン３０７３Ｂにおけるブロック溝に入る時、第１リミットシート３０７１Ａが第１リミットスイッチ３０７２Ａに当接され、第１リミットスイッチ３０７２Ａを触発し第１リミット信号を生成しＣＰＵモジュール３０１に報告し、そのため、ＣＰＵモジュール３０１は盗難防止錠が現時点において施錠状態にあることを知り、この時第２リミットシート３０７１Ｂが第２リミットスイッチ３０７２Ｂに分離していて、それを、リミット信号を生成するように触発することがない。
【００６７】
解錠する必要がある時、ＣＰＵモジュール３０１は、モータアセンブリを回転駆動させるようにモータドライバに指示し、ボルト３０７１がクランクにより駆動されブロック溝から外され、この時２つのリミットシートがボルトの移動に伴い移動し、第１リミットシート３０７１Ａが第１リミットスイッチ３０７２Ａに分離していて、ボルト３０７１が引き続き移動し前記最大移動距離に達し又は接近する時、第２リミットシート３０７１Ｂが第２リミットスイッチ３０７２Ｂに当接し、それを、第２リミット信号を生成しＣＰＵモジュール３０１に報告するように触発、そのため、ＣＰＵモジュール３０１は盗難防止錠が現時点において解錠状態にあることを知り、モータドライバに、モータを駆動することを停止することを指示する。この時、モータ出力軸に接続されるクランク部材の突起ハンドルが慣性の作用により第２位置を超えた後停止する。又は、ＣＰＵモジュール３０１が第２リミット信号を受信した時、突起ハンドルが第１位置に戻るように回転して待機することができるように、モータドライバにモータを引き続き所定時間回転駆動させた後停止させることを指示してもよい。
【００６８】
以上、圧力センサ及びボルトにおけるリミットシートの組合せを例として解錠状態及び施錠状態を検出する実施例を説明したが、本発明はこれに制限されなく、さらに様々な方式を採用し解錠状態及び施錠状態を検出する目的を実現することができ、例えば、さらに、レーザーセンサ及びボルトにおけるビーコンの組合せを採用し該機能を実現することができ、又は、さらに、ボルトの移動方向に距離センサを設け、ボルトと距離センサとの間の距離を検出することにより位置検出信号を触発することができる。
【００６９】
以上、自転車用馬蹄錠を例として本発明の盗難防止錠の例を説明したが、該盗難防止錠は明らかに馬蹄錠の形式に制限されず、如何なる開口部及びロックピンを備え、ロックピンの移動を利用し開口部を密閉又は開放する方式により施錠及び解錠を実現する錠に用いられることができる。当然、該盗難防止錠は自転車のみに適用できるだけではなく、任意の施錠する必要がある対象に用いられることができる。
【００７０】
既に様々な概念を詳細に説明したが、当業者であれば、これら概念に対する様々な修正及び代替は本発明により開示される全体教授の精神において実現することができるものであることを理解すべきである。当業者は一般技術を運用するだけで過度な実験をする必要がない状況において請求項に説明される本発明を実現することができる。さらに理解できることは、開示される特定概念は説明的なものに過ぎず、本発明の範囲を制限するものではなく、本発明の範囲は添付の請求項及び同等の解決手段の全範囲により決定される。
【図１】
0006503091.tif 000002
【図２】
0006503091.tif 000003
【図３】
0006503091.tif 000004
【図４】
0006503091.tif 000005
【図５】
0006503091.tif 000006
【図６】
0006503091.tif 000007
【図７】
0006503091.tif 000008
【図８】
0006503091.tif 000009
【図９】
0006503091.tif 000010
【図１０】
0006503091.tif 000011